(57)【要約】      （修正有）【課題】着脱可能な樹脂製のフランジ枠を樹脂製のエアフィルタ枠に設置することで、片フランジ型と両フランジ型、フランジなしのボックス型の３種類のエアフィルタを作成する。【解決手段】エアフィルタ枠１１の上流側あるいは下流側、または、上流側と下流側の両側への、フランジ枠８の着脱が可能である樹脂製の枠を用いたガスタービン吸気用エアフィルタであり、エアフィルタ枠の側面部９に引っ掛け部１０、フランジ枠の裏面部に爪部を設け、当該引っ掛け部と当該爪部の接触させることによって、エアフィルタ枠へのフランジ枠の着脱を可能とした。【選択図】図５
2016205330.tif 000002
【特許請求の範囲】
【請求項１】
エアフィルタ枠の上流側あるいは下流側、または、上流側と下流側の両側への、フランジ枠の着脱が可能であることを特徴とした樹脂製の枠を用いたガスタービン吸気用エアフィルタ。
【請求項２】
エアフィルタ枠の側面部に引っ掛け部、フランジ枠の裏面部に爪部を設け、当該引っ掛け部と当該爪部の接触させることによって、エアフィルタ枠へのフランジ枠の着脱を可能としたことを特徴とした請求項１における樹脂製の枠を用いたガスタービン吸気用エアフィルタ。
【発明の詳細な説明】
【技術分野】
【０００１】
本発明はジグザグに折り畳まれたエアフィルタろ材を樹脂製エアフィルタ枠に固着した、ガスタービン吸気用エアフィルタに関する発明である。
【背景技術】
【０００２】
ガスタービン施設では、外気を空気圧縮機に取り入れて圧縮し、タービンに供給している。取り入れられた空気に塵埃が含まれているとタービンの動翼に付着し、出力低下につながるため、ガスタービン吸気口には、タービンを効率的に稼働させるために塵埃捕集用のエアフィルタが多量に設置されている。ガスタービン施設が海岸沿いに建てられている場合、外気に含まれる海塩粒子の影響でエアフィルタの構成部材が腐食して、エアフィルタの寿命に影響を及ぼす問題がある。当該エアフィルタにおける構成部材の腐食を防ぐために、アルミニウムなどの金属製のエアフィルタ枠の採用やセパレータに耐腐食コーティングを施す手法があるが、コストが高くつき、また、エアフィルタ枠が金属製であるとエアフィルタの質量が重くなり、エアフィルタの設置、交換作業における負担が増すこととなる。そこで、エアフィルタ枠を金属製でなく、樹脂製としてエアフィルタを製造する手法がある。
【０００３】
樹脂製のエアフィルタを製造する場合の問題点として、事前に樹脂枠の金型を準備する必要があり、樹脂枠エアフィルタの形状が多種に及ぶ場合、樹脂枠の型の種類に応じて金型を準備する必要が出てくる。ガスタービン吸気口内では、エアフィルタの取り付けレール、ケーシングの構造が現場によって異なること多く、現場の取り付け構造に応じたエアフィルタ枠の形状が求められる。ガスタービン吸気用エアフィルタ枠の形状としては、エアフィルタ枠の上流側にのみ突起がある片フランジ型、エアフィルタ枠の上流側と下流側の両方に突起がある両フランジ型、エアフィルタ枠の上流側と下流側のいずれにも突起がないボックス型の３つの形状が挙げられる。
【発明の概要】
【発明が解決しようとする課題】
【０００４】
樹脂製のエアフィルタ枠を使用することで、海塩粒子によるガスタービン吸気用エアフィルタの腐食対策が可能であるが、樹脂枠製のエアフィルタを製造する場合、樹脂枠を作成するための金型が必要となるため、エアフィルタ枠の上流側にのみ突起がある片フランジ型、エアフィルタ枠の上流側と下流側の両方に突起がある両フランジ型、エアフィルタ枠の上流側と下流側のいずれにも突起がないボックス型、の３つの形状の金型を準備し、都度現場に応じたエアフィルタ枠を作成することは、生産効率の面、コストの面で問題があり、樹脂枠製のガスタービン用吸気エアフィルタの普及が進んでいない現状がある。
【課題を解決するための手段】
【０００５】
本発明では１種類の金型を用いることで、エアフィルタ枠の上流側にのみ突起がある片フランジ型、エアフィルタ枠の上流側と下流側の両方に突起がある両フランジ型、エアフィルタ枠の上流側と下流側のいずれにも突起がないボックス型、のいずれの形状にも対応が可能なガスタービン吸気用エアフィルタを提供する。具体的には、エアフィルタ枠への着脱可能なフランジ枠を用い、エアフィルタ枠に当該フランジ枠を取り付けることによって、上流側にのみ突起がある片フランジ型、上流側と下流側の両方に突起がある両フランジ型、上流側と下流側のいずれにも突起がないボックス型、の３種類のエアフィルタを形成することができる。
【０００６】
本発明におけるガスタービン吸気用エアフィルタの構成としては大別して、ジグザグ状に折り畳まれたエアフィルタろ材３、該エアフィルタろ材３の間に挟み込まれたセパレータ４、エアフィルタ枠１、エアフィルタ枠１への着脱可能なフランジ枠から形成されている。ジグザグ状に折り畳まれたエアフィルタろ材３は、隣り合うエアフィルタろ材同士の接触を避けるためにセパレータ４が挟み込まれ、エアフィルタろ材２の外周部を覆うようにエアフィルタ枠１内に当該エアフィルタろ材が固着されている。
【０００７】
そして、エアフィルタろ材２とは接触していないエアフィルタ枠１の側面部において、４つの該側面部の各表面は網目構造６を形成しており、エアフィルタ枠１における各４側面の上流側、及び下流側に対して、一箇所以上に引っ掛け部７が設けられている。
【０００８】
本発明におけるガスタービン吸気用エアフィルタの上流側、あるいは、下流側に突起状のフランジ枠を設置する場合、フランジ枠１２に設けられた爪部１６をエアフィルタ枠１３の引っ掛け部７に嵌め込み、エアフィルタ枠１３とフランジ枠１２を固定する。フランジ枠１２に設けられた爪部の、エアフィルタ枠１３の引っ掛け部７への嵌め込みは、設置強度の問題から少なくとも４箇所以上で行われる必要がある。また、エアフィルタ枠の上流側であっても下流側であっても、同様の機構でフランジ枠が設置されることとなり、フランジ枠１２の形状は、エアフィルタ枠の上流側であっても下流側であっても、同じ形状のものが用いられてよい。
【０００９】
本図面における図１に記載のように、本発明では、上流側と下流側のいずれにも突起がないボックス型のエアフィルタを基本形態としているが、エアフィルタ枠に対して上流側のフランジ枠のみを制作段階で予め固定させた片フランジ型のエアフィルタを基本形態とし、当該エアフィルタ枠の下流側でのみ、フランジ枠の着脱が可能な形状としても本発明の趣旨を変更するものではない。
【００１０】
本発明におけるエアフィルタ枠へのフランジ枠取り付け機構は、エアフィルタの種類に関わらず、ULPAフィルタ、HEPAフィルタ、準HEPAフィルタ、中高性能フィルタ、プレフィルタなどに対して適応が可能である。
【発明の効果】
【００１１】
着脱可能な樹脂製のフランジ枠を樹脂製のエアフィルタ枠に設置することで、片フランジ型と両フランジ型、フランジなしのボックス型の３種類のエアフィルタを作成することが可能である。そのため、一種類の樹脂枠エアフィルタの金型を準備するだけで、３種類のエアフィルタの作成が可能となる。そのため、樹脂枠エアフィルタにおける生産効率の向上が見込める。
【００１２】
金属部材を一切使用することなくエアフィルタを構成できるため、海塩粒子などによるエアフィルタの腐食の恐れが少ない。また、金属部材を一切使用していないため、廃棄時の分別が容易となる。
【図面の簡単な説明】
【００１３】
【図１】フランジなしのボックス型エアフィルタ
【図２】エアフィルタろ材部分の拡大図
【図３】片フランジ型形状のエアフィルタ
【図４】両フランジ型形状のエアフィルタ
【図５】エアフィルタ枠の側面部
【図６】エアフィルタ枠とフランジ枠の取り付け機構
【発明を実施するための形態】
【実施例１】
【００１４】
本発明では、樹脂枠を用いたボックス型エアフィルタにフランジ枠を取り付けることによって、エアフィルタの上流側にのみ突起がある片フランジ型、エアフィルタの上流側と下流側の両方に突起がある両フランジ型のエアフィルタを提供することが可能である。
【００１５】
当該ボックス型エアフィルタは、樹脂製のエアフィルタ枠１にジグザグ状に折り畳まれたエアフィルタろ材２が固着されている。エアフィルタろ材の材質は特に限定されるものではなく、グラスファイバーろ材、不織布ろ材などが用いられる。そして、隣り合う折り畳まれたろ材同士が接触することで、エアフィルタろ材における塵埃の捕集面積が減少することを避けるために、エアフィルタろ材３の間にセパレータ４を挟み込む。セパレータはアルミニウムなどの金属が用いられることが多いが、本発明では樹脂製のセパレータを用いることが好ましい。
【００１６】
上流側にのみ突起がある片フランジ型のエアフィルタを形成する際は、フランジ枠が設けられていないボックス型のエアフィルタ枠１に、上流側ブランジ部５を装着する。当該フランジ部の装着方法として、フランジ部１２に設けられたフランジ枠爪部１６をエアフィルタ枠１３における引っ掛け部１５に嵌め込み、エアフィルタ枠１３とフランジ枠１２を固定する。エアフィルタろ材に面していない側のエアフィルタ枠１３の４つの側面部は、網目状に凹凸を成している。当該エアフィルタ枠における４側面には、それぞれ２箇所の引っ掛け部１０が設けられており、フランジ枠１２には、当該引っ掛け部に対応する位置にフランジ枠爪部１６が設けられている。
【００１７】
また、樹脂で形成されている縁状のフランジ枠１２において、エアフィルタろ材に面する箇所は網目構造を成しており、折り畳まれたエアフィルタろ材に流入する空気の流れを整流する働きがある。
【００１８】
上流側と下流側の両方に突起がある両フランジ型のエアフィルタを形成する際は、エアフィルタにおける上流側、及び下流側へ、エアフィルタ枠に対してフランジ枠を装着する。装着機構は、エアフィルタにおける上流側、及び下流側において同様であり、フランジ枠に設けられたフランジ枠爪部をエアフィルタ枠における引っ掛け部に嵌め込み、エアフィルタ枠とフランジ枠を固定させる手法となる。そのため、エアフィルタ枠の各側面部には、上流側に２箇所、下流側に２箇所、つまり、エアフィルタ枠の側面部には計１６箇所に、フランジ枠爪部と対応するための引っ掛け部が設けられている。
【００１９】
また、本実施例では、エアフィルタ枠の上流側、及び下流側に突起のないボックス型のエアフィルタを基本形体とし、フランジ枠の着脱が可能であることを説明したが、上流側フランジ枠を事前に設けた片フランジ構造をエアフィルタの基本形体とし、エアフィルタの下流側に対してのみフランジ枠の着脱を可能とした構造であっても、本発明の趣旨が変更されるものではない。
【産業上の利用可能性】
【００２０】
ガスタービン施設内のエアフィルタ取付けレール、ケーシングの形状に関わらず、エアフィルタを設置することが可能であるため、エアフィルタの取り付け作業効率の向上が期待できる。また、本発明におけるエアフィルタ形状は、プレフィルタ、中高性能フィルタ、準HEPAフィルタ、HEPAフィルタなどエアフィルタの性能に関係なく、さらに、ガスタービン吸気用エアフィルタとしてだけでなく、一般空調用エアフィルタなどにも、本発明におけるエアフィルタ枠とフランジ枠の着脱機構を適用することが可能である。そのため、従来の樹脂枠フィルタの課題であった金型の問題を解決しつつ、廃棄処理が容易な樹脂枠の普及が進むことから、産業上の利用可能性は絶大なものが見込める。
【符号の説明】
【００２１】
１・・・エアフィルタ枠            ２・・・エアフィルタろ材    
３・・・エアフィルタろ材          ４・・・セパレータ      
５・・・上流側フランジ部          ６・・・上流側フランジ部
７・・・下流側フランジ部          ８・・・フランジ部    
９・・・エアフィルタ枠側面部    １０・・・引っ掛け部      
１１・・・エアフィルタ枠          １２・・・フランジ部
１３・・・エアフィルタ枠          １４・・・エアフィルタ枠側面部
１５・・・引っ掛け部              １６・・・フランジ枠爪部
【図１】
2016205330.tif 000003
【図２】
2016205330.tif 000004
【図３】
2016205330.tif 000005
【図４】
2016205330.tif 000006
【図５】
2016205330.tif 000007
【図６】
2016205330.tif 000008